(57)【要約】      （修正有）【課題】確実に荷物箱内の荷物を固定することができる荷物固定具を有する二輪車用荷物箱を得るにある。【解決手段】自転車や自動二輪車の荷台に取り付け可能な二輪車用荷物箱本体２と、該二輪車用荷物箱本体２に取り付けられた荷物固定具からなる二輪車用荷物箱であって、前記荷物固定具は、前記二輪車用荷物箱本体２の内側底部に対して略垂直に回転可能に設けられた複数の軸７と、該複数の軸７の一方の軸７に一端が巻き取られた状態で固定され、他方の軸７に他端が巻き取られた状態で固定され、かつ、荷物を固定することができる長い帯状体と、前記複数の軸７を前記帯状体８を巻き取る方向に付勢する付勢装置より二輪車用荷物箱を構成している。【選択図】図１
2015168310.tif 000002
【特許請求の範囲】
【請求項１】
自転車や自動二輪車の荷台に取り付け可能な二輪車用荷物箱本体と、該二輪車用荷物箱本体に取り付けられた荷物固定具からなる二輪車用荷物箱であって、前記荷物固定具は、前記二輪車用荷物箱本体の内側底部に対して略垂直に回転可能に設けられた複数の軸と、該複数の軸の一方の軸に一端が巻き取られた状態で固定され、他方の軸に他端が巻き取られた状態で固定され、かつ、荷物を固定することができる長い帯状体と、前記複数の軸を前記帯状体を巻き取る方向に付勢する付勢装置より構成されていることを特徴とする二輪車用荷物箱。
【請求項２】
前記複数の軸は、ベース板を介して前記二輪車用荷物箱本体の内側底部に設けられていることを特徴とする請求項１記載の二輪車用荷物箱。
【請求項３】
前記複数の軸は、前記二輪車用荷物箱本体の内側底部に直接設けられていることを特徴とする請求項１記載の二輪車用荷物箱。
【発明の詳細な説明】
【技術分野】
【０００１】
本発明は二輪車や自動二輪車の荷台に取り付けられる二輪車用荷物箱に関する。
【背景技術】
【０００２】
従来、荷物箱内に係止片等でネット等を係止し、荷物が動かないように上から押さえつけて固定する荷物固定具を有する荷物箱が販売等されている。
しかし、このような荷物固定具では係止片の高さに荷物が達していない場合には、荷物を固定することができず、また、荷物を取り出すときにはネット等を一旦取り外し、荷物を取り出した後、再びネット等を係止させなければならなかった。
【先行技術文献】
【特許文献】
【０００３】
【特許文献１】特になし
【発明の概要】
【発明が解決しようとする課題】
【０００４】
本発明は以上のような従来の欠点に鑑み、確実に荷物を固定することができ、荷物の取り出しも容易に行うことができる荷物固定具を有する二輪車用荷物箱を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は自転車や自動二輪車の荷台に取り付け可能な二輪車用荷物箱本体と、該二輪車用荷物箱本体に取り付けられた荷物固定具からなる二輪車用荷物箱であって、前記荷物固定具は、前記二輪車用荷物箱本体の内側底部に対して略垂直に回転可能に設けられた複数の軸と、該複数の軸の一方の軸に一端が巻き取られた状態で固定され、他方の軸に他端が巻き取られた状態で固定され、かつ、荷物を固定することができる長い帯状体と、前記複数の軸を前記帯状体を巻き取る方向に付勢する付勢装置とで二輪車用荷物箱を構成している。
【発明の効果】
【０００７】
以上の説明から明らかなように、本発明にあっては次に列挙する効果が得られる。
（１）請求項１により、帯状体を巻取る方向に複数の軸を付勢しているので、容易に帯状体を荷物に密着させ荷物を確実に固定することができる。
（２）前記（１）により、帯状体は荷物の側面を包むように密着し荷物を固定しているので、荷物上面は帯状体により覆われておらず、帯状体を外さなくても荷物を取り出すことができる。
（３）請求項２も前記（１）〜（２）と同様な効果が得られる。
（４）請求項３も前記（１）〜（２）と同様な効果が得られる。
【図面の簡単な説明】
【０００８】
【図１】本発明を実施するための第１の形態の正面図。
【図２】本発明を実施するための第１の形態の平面図。
【図３】図１の３−３線断面図。
【図４】本発明を実施するための第１の形態の荷物固定具の説明。
【図５】本発明を実施するための第１の形態の帯状体を引き出した状態の説明図。
【図６】本発明を実施するための第１の形態の荷物を配置・固定する状態の説明図。
【図７】本発明を実施するための第２の形態の正面図。
【図８】本発明を実施するための第２の形態の平面図。
【図９】図７の９−９線断面図。
【発明を実施するための形態】
【０００９】
以下、図面に示す本発明を実施するための形態により、本発明を詳細に説明する。
【００１０】
図１ないし図６に示す本発明を実施するための第１の形態において、１は二輪車や自動二輪車の荷台に取り付けられる二輪車用荷物箱で、該二輪車用荷物箱１は、上部が開口する二輪車用荷物箱本体２と、該二輪車用荷物箱本体２の内部に設置することができる荷物固定具３と、前記二輪車用荷物箱本体２の上部開口を開閉自在に覆う蓋体４から構成されている。
【００１１】
二輪車用荷物箱本体２は略直方体状で上部が開口しており、該開口を開閉自在に覆う蓋体４がヒンジ５を介して取り付けられている。
前記荷物固定具３は、前記二輪車用荷物箱本体２の内側底部２ａに収納可能な略長方形状のベース板６と、該ベース板６の一辺６ａの両端部付近にベース板に対して略垂直に回転可能に取り付けられた複数の軸７、７と、該複数の軸７、７の一方の軸７に一端が巻き取られた状態で固定され、他方の軸７に他端が巻き取られた状態で固定され、かつ、荷物を固定することができる長い帯状体８より構成されている。
【００１２】
前記軸７、７の内部にはゼンマイバネを用いた付勢装置１１が備えられており、軸７、７は常時帯状体８を巻き取る方向に付勢されている。
使用する際には、荷物固定具３を二輪車用荷物箱本体２に収納し、二輪車用荷物箱本体２内に固定された係合片１０と係合させる。
【００１３】
次に、図４に示すように軸７、７を付勢装置１１の付勢力に抗して回転させ帯状体８を引き出し、荷物７を配置する。このとき、帯状体８を引き出した状態で保持できるように二輪車用荷物箱本体２内にフック等の係止具１２を備えてもよい。
【００１４】
その後、帯状体８を係止具１２から外すと、軸７、７は付勢装置１１により帯状体８を巻き取る方向に回転し、帯状体８を荷物９に密着させた状態で固定する。これにより、荷物９は固定されるので輸送時に荷物９が動くことを防止できるとともに、荷物９の側面を帯状体８により押さえつけているので、帯状体８を外さなくても、上部から任意の荷物９を取り出すことができる。
【００１５】
また、荷物９の一部を取り出すと、軸７、７は付勢装置１１により回転し、帯状体８が残った荷物９に密着し、残った荷物９を固定する。
なお、帯状体８としてネットを使用した場合には、フック状の係止具１２をネットの孔に挿入して係止することにより、脱落しづらい状態で保持することができる。また、前記係止具１２は、帯状体８の着脱がしやすいように、スライド移動や回動するように構成してもよい。
【００１６】
[発明を実施するための異なる形態]
次に、図７ないし図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図７ないし図９に示す本発明を実施するための第２の形態において、前記本発明を実施するための第１の形態と主に異なる点は、複数の軸７、７を二輪車用荷物箱本体２の内側底面に回転可能に設けた荷物固定具３Ａを用いた点で、このような荷物固定具３Ａを用いた二輪車用荷物箱１Ａにしても、前記本発明を実施するための第１の形態と同様な作用効果が得られる。
【００１８】
なお、本発明の実施の形態では両方の軸が回転する形態について説明したが、いずれか一方の軸のみ回転可能に取り付けたものでもよい。
【００１９】
また、二輪車用荷物箱本体やベース板は、それぞれ直方体状、長方形状のものについて説明したが、その他の形状であってもよい。
【産業上の利用可能性】
【００２０】
本発明は二輪車用荷物箱を製造する産業で利用される。
【符号の説明】
【００２１】
１、１Ａ：二輪車用荷物箱、    ２：二輪車用荷物箱本体、    
３、３Ａ：荷物固定具、        ４：蓋体、        
５：ヒンジ、                  ６：ベース板
７：軸、                      ８：帯状体、
９：荷物、                    １０：係合片、
１１：付勢装置、              １２：係止具。
【図１】
2015168310.tif 000003
【図２】
2015168310.tif 000004
【図３】
2015168310.tif 000005
【図４】
2015168310.tif 000006
【図５】
2015168310.tif 000007
【図６】
2015168310.tif 000008
【図７】
2015168310.tif 000009
【図８】
2015168310.tif 000010
【図９】
2015168310.tif 000011